(57)【特許請求の範囲】
【請求項１】
１つのチャンネルが複数のセグメントに分割されたデジタル放送を受信して記録媒体に番組録画を行う録画装置であって、
前記複数のセグメントのうち、固定受信機向けに割り当てられたセグメントの放送と携帯受信機向けに割り当てられたセグメントの放送とを受信する受信手段と、
前記受信手段によって受信した前記固定受信機向けに割り当てられたセグメントの放送の前記番組録画を行う際に、当該録画する番組を構成するパケットのＰＩＤと、前記携帯受信機向けに割り当てられたセグメントの放送として同一チャンネルで放送中の番組を構成するパケットのＰＩＤとを取得するＰＩＤ取得手段と、
前記ＰＩＤ取得手段によって取得した前記ＰＩＤを設定するＰＩＤテーブルと、
前記受信手段によって復調された、前記固定受信機向けに割り当てられたセグメントの放送データと前記携帯受信機向けに割り当てられたセグメントの放送データとが多重化されたストリームデータから、前記ＰＩＤテーブルに設定した前記ＰＩＤを持つパケットを抽出するパケット抽出手段と、
前記パケット抽出手段によって抽出したパケットからなる録画データを前記記録媒体に記録する録画手段と、
前記記録媒体に録画した録画データから前記携帯受信機向けに割り当てられたセグメントの放送の番組を構成するパケットを抽出する番組抽出手段と、
前記番組抽出手段によって抽出された前記パケットからなる番組データを前記携帯受信機で再生可能なデータ形式に変換するデータ形式変換手段と、
前記データ形式変換手段で生成したデータを、着脱可能に装着されたメモリカードに送信するメモリカード制御手段と、
を備えることを特徴とする、録画装置。
【請求項２】
前記受信手段によって受信した前記固定受信機向けに割り当てられたセグメントの放送の前記番組録画を行う際に、前記携帯受信機向けに割り当てられたセグメントの放送として同一チャンネルで送信される番組データを構成するパケットに関する情報をメタデータとして作成するメタデータ作成手段をさらに備え、
前記メタデータを前記録画手段によって前記記録媒体に記録し、前記データ形式変換手段にて前記メタデータに基づいてデータ形式を変換することを特徴とする、請求項１に記載の録画装置。
【発明の詳細な説明】
【技術分野】
【０００１】
本発明は、地上デジタル放送を受信して録画する録画装置に関する。
【背景技術】
【０００２】
地上デジタル放送は、１チャンネルを１３セグメントに分けて放送されている。固定受信機向けの放送は、１３セグメントのうちの１２セグメントを割り当てた放送（以下、１２セグメント放送という）であり、１チャンネルに１つの番組を用いたハイビジョン放送や、１つのチャンネルで３つの番組を同時に放送する標準画質の放送を行っている。携帯受信機向け放送は、１３セグメントのうちの１セグメントを割り当てた放送（以下、１セグメント放送という）であり、簡易動画を放送している。
【０００３】
近年、１セグメント放送を受信する機能を備えた携帯電話などの携帯端末が普及し、家の中だけでなく家の外にも持ち出して地上デジタル放送が視聴できるようになり、家の固定受信機で録画したデータを携帯端末に移すことによって視聴できる環境になった。
【０００４】
しかし、従来の固定受信機では１３セグメントの全てを受信して復調するが、録画の時には１２セグメント放送の番組データのみを抽出して録画データを作成するため１セグメント放送の番組データは録画データに含まれていない。そのため、携帯端末での視聴は困難であるという問題があった。
【０００５】
この問題の対策として、固定受信機に１２セグメント放送用と１セグメント放送用との２系統の受信、復調、録画を行う手段を備えた装置（例えば、特許文献１参照）や、予め携帯端末用のデータとして録画するようにユーザーが指定することによって固定受信機で携帯端末用のデータに変換して録画する装置（例えば、特許文献２参照）がある。
【０００６】
【特許文献１】特開２００５−２０４０６４号公報
【特許文献２】特開２００７−１５１０４２号公報
【発明の開示】
【発明が解決しようとする課題】
【０００７】
しかし、特許文献１では、装置の回路規模やソフトウェア規模が大きくなるという問題がある。また、固定受信機用の録画データと携帯端末用の録画データとのそれぞれ別々の録画データが装置内に存在するため、両データを関連付ける管理データや管理方式が必要になるという問題がある。
【０００８】
また、特許文献２では、ユーザーが将来における再生形態を明示的に指定しなければならないという煩雑さが問題となる。
【０００９】
本発明は、これらの問題を解決するためになされたもので、固定受信機向けの放送番組を受信して録画する際に、固定受信機向けの放送番組と携帯受信機向け放送番組とを同時に録画し、録画した携帯受信機向け放送番組を携帯端末で再生可能にデータ変換する録画装置を提供することを目的とする。
【課題を解決するための手段】
【００１０】
上記の課題を解決するために、本発明による録画装置は、１つのチャンネルが複数のセグメントに分割されたデジタル放送を受信して記録媒体に番組録画を行う録画装置であって、複数のセグメントのうち、固定受信機向けに割り当てられたセグメントの放送と携帯受信機向けに割り当てられたセグメントの放送とを受信する受信手段と、受信手段によって受信した固定受信機向けに割り当てられたセグメントの放送の番組録画を行う際に、当該録画する番組を構成するパケットのＰＩＤと、携帯受信機向けに割り当てられたセグメントの放送として同一チャンネルで放送中の番組を構成するパケットのＰＩＤとを取得するＰＩＤ取得手段と、ＰＩＤ取得手段によって取得したＰＩＤを設定するＰＩＤテーブルと、受信手段によって復調された、固定受信機向けに割り当てられたセグメントの放送データと携帯受信機向けに割り当てられたセグメントの放送データとが多重化されたストリームデータから、ＰＩＤテーブルに設定したＰＩＤを持つパケットを抽出するパケット抽出手段と、パケット抽出手段によって抽出したパケットからなる録画データを記録媒体に記録する録画手段と、記録媒体に録画した録画データから携帯受信機向けに割り当てられたセグメントの放送の番組を構成するパケットを抽出する番組抽出手段と、番組抽出手段によって抽出されたパケットからなる番組データを携帯受信機で再生可能なデータ形式に変換するデータ形式変換手段と、データ形式変換手段で生成したデータを、着脱可能に装着されたメモリカードに送信するメモリカード制御手段とを備えることを特徴とする。
【発明の効果】
【００１１】
本発明によると、ＰＩＤ取得手段は受信手段によって受信した固定受信機向けに割り当てられたセグメントの放送の番組録画を行う際に、当該録画する番組を構成するパケットのＰＩＤと、携帯受信機向けに割り当てられたセグメントの放送として同一チャンネルで放送中の番組を構成するパケットのＰＩＤとを取得し、ＰＩＤテーブルはＰＩＤ取得手段によって取得したＰＩＤを設定し、パケット抽出手段は受信手段によって復調された、固定受信機向けに割り当てられたセグメントの放送データと携帯受信機向けに割り当てられたセグメントの放送データとが多重化されたストリームデータから、ＰＩＤテーブルに設定したＰＩＤを持つパケットを抽出し、番組抽出手段は記録媒体に録画した録画データから携帯受信機向けに割り当てられたセグメントの放送の番組を構成するパケットを抽出し、データ形式変換手段は番組抽出手段によって抽出されたパケットからなる番組データを携帯受信機で再生可能なデータ形式に変換し、メモリカード制御手段はデータ形式変換手段で生成したデータを、着脱可能に装着されたメモリカードに送信するので、デジタル放送を受信して録画する際に、固定受信機向けの放送番組と携帯受信機向け放送番組とを同時に録画し、録画した携帯受信機向け放送番組を携帯端末で再生可能にデータ変換することができる。
【発明を実施するための最良の形態】
【００１２】
本発明の実施形態について、図面を用いて以下に説明する。
【００１３】
〈実施形態１〉
図１は、本発明の実施形態１による録画装置のブロック図である。図１に示すように、１つのチャンネルが複数のセグメントに分割されたデジタル放送を受信して記録媒体に番組録画を行う録画装置１は、デジタル放送の複数のセグメントのうち、１２セグメント放送と１セグメント放送とを受信するアンテナ２と、アンテナ２で受信したデジタル放送を復調するチューナ部３（受信手段）と、チューナ部３で復調した放送番組データをＭＰＥＧ（Ｍｏｖｉｎｇ  Ｐｉｃｔｕｒｅ  Ｅｘｐｅｒｔ  Ｇｒｏｕｐ）映像データ、ＭＰＥＧ音声データ、番組付加情報とに分離して出力するデマルチプレクサ部４と、デマルチプレクサ部４から出力されたＭＰＥＧ映像データとＭＰＥＧ音声データとをデコードするデコーダ部５と、チューナ部３から出力される放送番組のデータから抽出したパケットのＰＩＤ（Ｐａｃｋｅｔ  ＩＤ）テーブルを保持するメモリ６と、録画装置１の全体を制御する制御部７と、リモコン８によるユーザーからの入力処理を行なう入力処理部９と、テレビなどのモニタに対するデータ出力を制御する表示処理部１０と、録画番組を記録するＨＤＤ１１（記録媒体）と、録画装置１に対して着脱可能に装着されたメモリカード１２と、メモリカード１２に対してデータ送受信の制御を行うメモリカード制御部１３（メモリカード制御手段）とからなる。
【００１４】
まず、録画装置１による録画処理の動作について説明する。
【００１５】
図２は、本発明の実施形態１による録画処理のフローチャートである。
【００１６】
ステップＳ１において、例えば、ユーザーがリモコン８を用いて入力処理部９を介して録画を開始させる操作を録画装置１に入力すると、制御部７はアンテナ２によって受信した１２セグメント放送の番組の録画処理を開始する。
【００１７】
ステップＳ２において、録画が開始されると、制御部７のＰＩＤ取得手段は１２セグメント放送で録画する番組を構成するパケットのＰＩＤを取得し、メモリ６のＰＩＤテーブルに設定する。ここで、番組を構成するパケットとは、例えば、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）等の番組特定情報、映像、音声、字幕、文字スーパー、データ放送のＥＳ（Ｅｌｅｍｅｎｔａｒｙ  ｓｔｒｅａｍ）を含むパケット等である。
【００１８】
また、ステップＳ３において、ＰＩＤ取得手段は、１セグメント放送で放送中の番組を構成するパケットのＰＩＤを取得し、メモリ６のＰＩＤテーブルに設定する。１セグメント放送では、ＰＭＴのＰＩＤが予め決められているためＰＭＴの取得は容易であり、ＰＭＴのＰＩＤをメモリ６のＰＩＤテーブルに設定する。同時に、取得したＰＭＴを解析してＥＳのＰＩＤも取得し、メモリ６のＰＩＤテーブルに設定する。
【００１９】
ステップＳ４において、制御部７のパケット抽出手段は、チューナ部３によって復調された１２セグメント放送データと１セグメント放送データとが多重化されたストリームデータから、メモリ６のＰＩＤテーブルに設定したＰＩＤを持つパケットを抽出する。
【００２０】
ステップＳ５において、制御部７の録画手段は、ステップＳ４にて抽出したパケットからなる録画データをＨＤＤ１１に記録する。
【００２１】
図３は、本発明の実施形態１による録画データの一例を示す図である。図２の処理を行うと、１２セグメント放送の録画する番組データと１セグメント放送の録画する番組データとが多重化された、図３に示すような１つの録画データが生成される。図３において、（ａ）は１２セグメント放送のパケットを示し、（ｂ）は１セグメント放送のパケットを示している。
【００２２】
次に、ＨＤＤ１１に記録されている録画データから１セグメント放送の番組を抽出する処理の動作について説明する。
【００２３】
図４は、本発明の実施形態１による番組抽出処理のフローチャートである。
【００２４】
ステップＳ１０において、例えば、ユーザーがメモリカード１２を録画装置１に装着し、リモコン１を用いて入力処理部９を介してＨＤＤ１１から１セグメント放送の番組を取り出す操作を録画装置１に対して入力すると、制御部７はＨＤＤ１１から１セグメント放送の番組を抽出する処理を開始する。
【００２５】
ステップＳ１１において、制御部７の番組抽出手段は、ＨＤＤ１１に録画した録画データから１セグメント放送の番組を構成するパケットのうちの１パケット分のデータを読み込む。
【００２６】
ステップＳ１２において、読み込んだパケットのヘッダに記述されているＰＩＤを取得し、メモリ６のＰＩＤテーブルに設定された１セグメント放送のＰＭＴのＰＩＤであるかの判定を行う。判定の結果、１セグメント放送のＰＭＴのＰＩＤである場合はステップＳ１３に移行し、そうでない場合はステップＳ１４に移行する。
【００２７】
ステップＳ１３において、ステップＳ１２にて１セグメント放送のＰＭＴのＰＩＤであった場合は、ＰＭＴセクションの解析を行い、１セグメント放送のＥＳのＰＩＤを取得しメモリ６のＰＩＤテーブルに設定された後にステップＳ１６に移行する。
【００２８】
ステップＳ１４において、ステップＳ１２にて１セグメント放送のＰＭＴのＰＩＤでなかった場合は、メモリ６のＰＩＤテーブルに設定された１セグメント放送のＥＳのＰＩＤであるかの判定を行う。１セグメント放送のＥＳのＰＩＤである場合はステップＳ１５に移行し、そうでない場合はステップＳ１１に移行する。
【００２９】
ステップＳ１５において、ステップＳ１４にて１セグメント放送のＥＳのＰＩＤであった場合は、読み込んだ１パケット分のデータをメモリ６またはＨＤＤ１１内のバッファに書き込み、ステップＳ１６に移行する。
【００３０】
ステップＳ１６では、ＨＤＤ１１に録画された録画データの終端までデータの読み込みを行ったかの判定を行う。録画データの終端までデータの読み込みを行っていない場合はステップＳ１１に戻り、録画データの終端までデータの読み込みを続ける。
【００３１】
ステップＳ１７では、ステップＳ１６にて録画データの終端までデータを読み込んだと判定されると、ＨＤＤ１１からの録画データの読み込みを終了する。
【００３２】
以上の処理を行なうことによって、ＨＤＤ１１に録画した録画データから、１セグメント放送の番組を構成するパケットからなる番組データを生成することができる。
【００３３】
図４の処理によって生成された番組データは、制御部７のデータ形式変換手段によって、携帯端末で再生可能なデータ形式（例えば、ＳＤ−Ｖｉｄｅｏ規格など）に変換される。このとき、データ形式によっては番組データとは別に、新規のデータを作成する必要がある。例えば、ＳＤ−Ｖｉｄｅｏ規格の場合では、再生制御のためのタイミング管理情報、再生制御のための拡張情報、番組の属性情報などのデータを作成する必要がある。
【００３４】
制御部７のデータ形式手段によってデータ形式を変換された番組データは、必要に応じて作成された新規のデータとともに、メモリカード制御部１３によって録画装置１に着脱可能に装着されたメモリカード１２に送信される。なお、メモリカード１２は、ＳＤカードなどいかなるメモリカードであってもよい。
【００３５】
以上のことから、１２セグメント放送の番組の録画を行う際に、１２セグメント放送の番組データと１セグメント放送の番組データとを多重化した１つの録画データを作成して記録することによって、回路規模やソフトウェア規模を大きくすることなく、従来の固定受信機システムで処理することができる。また、１２セグメント放送の番組を録画する際に自動的に１セグメント放送を録画するので、ユーザー操作に煩雑さが伴わない。
【００３６】
〈実施形態２〉
本発明の実施形態２では、録画装置１のアンテナ２によって受信した１２セグメント放送の番組録画を行う際に、１セグメント放送として同一チャンネルで送信される番組データのメタデータを作成する制御部７のメタデータ作成手段を備え、制御部７の録画手段によってメタデータをメモリカード１２に記録し、制御部７のデータ形式変換手段にてメタデータに基づいてデータ形式を変換することを特徴としている。
【００３７】
具体的には、チューナ部３から出力されるストリームデータから制御部７のパケット抽出手段によってパケットを抽出するよりも前に、制御部７のメタデータ作成手段が１セグメント放送のデータに関する情報（例えば、パケット到達時間、パケット欠落情報など）をメタデータとして作成し、番組録画が終了すると制御部７の録画手段がメタデータをＨＤＤ１１に記録する。
【００３８】
そして、制御部７にてデータ形式変換手段が番組抽出手段によって生成された１セグメント放送の番組データを携帯端末で再生可能なデータ形式に変換するときに、番組データとは別に新規のデータを作成する必要がある場合には、メタデータをＨＤＤ１１から読み出し、新規データの作成に必要な情報をメタデータから取得またはメタデータに記載されている情報から導き出すことが可能である。
【００３９】
以上のことから、メタデータ作成手段によってメタデータを作成することにより、携帯端末で再生可能なデータを新規に作成する必要がある場合において、メタデータから情報を取得するのでデータ作成の効率が良くなり、多種のデータ形式に対応することができる。
【産業上の利用可能性】
【００４０】
本発明の活用例として、ＨＤＤ等の記録媒体を搭載するデジタル放送受信機である、液晶デジタルテレビ、ＤＶＤレコーダ等に適用できる。
【図面の簡単な説明】
【００４１】
【図１】本発明の実施形態１による録画装置のブロック図である。
【図２】本発明の実施形態１による録画処理のフローチャートである。
【図３】本発明の実施形態１による録画データの一例を示す図である。
【図４】本発明の実施形態１による番組抽出処理のフローチャートである。
【符号の説明】
【００４２】
１  録画装置、２  アンテナ、３  チューナ部、４  デマルチプレクサ部、５  デコーダ部、６  メモリ、７  制御部、８  リモコン、９  入力処理部、１０  表示処理部、１１  ＨＤＤ、１２  メモリカード、１３  メモリカード制御部。
【図１】
0004879146.tif 000002
【図２】
0004879146.tif 000003
【図３】
0004879146.tif 000004
【図４】
0004879146.tif 000005